(57)【特許請求の範囲】
【請求項１】
第１端部，該第１端部とは反対側の第２端部，及び受け部（３）を有するロックレバー（１）と，
前記ロックレバー（１）の前記受け部（３）内に取り外し可能に係合するロックナット（２）と，を具え，
前記受け部（３）は，前記ロックレバー（１）内を，前記ロックレバー（１）の長手方向に直交する方向に延び，該受け部（３）が延びる方向の第１軸線の周りに非円形の内周形状（４）を有し，
前記受け部（３）内の前記ロックナット（２）は，前記受け部（３）の第１軸線と平行に延びる第２軸線を有し，該受け部（３）の前記非円形の内周形状（４）の少なくとも一部に対応する非円形の外周形状（９）を有するロック装置において，
前記ロックレバー（１）が，該ロックレバー（１）の長手方向に延び，前記受け部（３）内にある第１位置と前記受け部（３）外にある第２位置との間を変位可能なリテーナ（６）を具え，
前記ロックレバー（１）及び前記リテーナ（６）は，弾性材料で成形され，
該リテーナ（６）は，前記弾性材料のバネ作用により前記第１位置に維持され，前記バネ作用に抗して加えられる力により前記第２位置へと変位されることを特徴とするロック装置。
【請求項２】
請求項１記載のロック装置において，前記リテーナ（６）は，ロックナット（２）との係合状態で，ロックナット（２）に設けられている凹所の内壁に形状結合させることを特徴とするロック装置。
【請求項３】
請求項２記載のロック装置において，前記凹所として，ロックナット（２）の外周に環状溝（１１）を形成したことを特徴とするロック装置。
【請求項４】
請求項１〜３の何れか一項に記載のロック装置において，前記リテーナ（６）は，受け部（３）と反対側の端部領域で，ロックレバー（１）とリンク結合したことを特徴とするロック装置。
【請求項５】
請求項１〜４の何れか一項に記載のロック装置において，前記リテーナ（６）は，受け部（３）と反対側の端部領域で，ロックレバー（１）と一体的に材料結合したことを特徴とするロック装置。
【請求項６】
請求項１〜５の何れか一項に記載のロック装置において，前記ロックレバー（１）及びリテーナ（６）は，プラスチック製としたことを特徴とするロック装置。
【発明の詳細な説明】
【０００１】
【発明の属する技術分野】
本発明は、ロックレバーとロックナットとを具え、ロックレバーは内周形状が非円形の受け部を有し、ロックナットは、ロックレバーの受け部内に軸線方向で変位可能として支持されると共に、該受け部に対応する非円形の外周形状を有するロック装置に関するものである。
【０００２】
【従来の技術】
上述の構成を有するロック装置は、相対的に可動とした少なくとも２個の部材を加圧結合によりロックするものである。ロックレバーでトルクをロックナットに負荷することにより、ロック装置はトルクの作用方向に応じてロック作用を行い、又はロックを解除する。例えば、ロックナットは外ネジを設けたボルト上に締結される。ロック対象部材は、ロックに際して互いに押圧されると共にその結果として生じる摩擦力により互いにロックされる。丸鋸等の手持ち式電動工具においては、ガイドプレート及び作業ユニットの間の角度位置を固定するためにロック装置を使用する。この場合、ロック解除状態で角度調節を行った後、ロック装置により所望の角度位置にロックすることができる。したがって、電動工具によりマイタカット等を実行することができる。
【０００３】
ドイツ特許第１９７３６９３３号明細書は、ロックレバー及びロックナット等を具えるロック装置を記載している。この場合、ロックレバーは内周形状が非円形の受け部を有し、この受け部内にロックナットを軸線方向で変位可能に支持する。ロックナットの外周形状は、受け部の内周形状に対応する。
【０００４】
上述した既知のロック装置は、ロックレバーを使用するため、レバー比に応じてロック力を増幅することができる。すなわち、使用者は、ロックナットにより形成されるネジ結合部に大きなトルクを作用させることができる。その反面、使用者が常にロックレバーを携帯しなければならない欠点がある。
【０００５】
また、ドイツ特許第２９５１３３３０号明細書には、ロックレバーと、ネジ結合部とを具えるロック装置が記載されている。この場合、ネジ結合部は、十字スリットを具えるプラスネジ等を含んでいる。ロックレバーは電動工具に装着されるものであり、使用者が別に携帯する必要がない点で有利である。これに加えて、電動工具に装着されたロックレバーは、別体の工具を必要とせずにロック装置を操作可能とするものである。
【０００６】
この既知のロック装置は、電動工具のアクセス困難な部位に装着され、完全なロックを行うのが多くの場合に不可能である点で不利である。更に、ロックレバーは、電動工具との位置関係によっては、電動工具の位置決め作業の妨害となる場合がある。
【０００７】
【発明の課題】
本発明の課題は、簡便かつ確実に操作可能であり、経済的に製造することが可能な電動工具用のロック装置を提案することにある。
【０００８】
【課題の解決方法】
この課題を解決するため，本発明は，第１端部，該第１端部とは反対側の第２端部，及び受け部を有するロックレバーと，前記ロックレバーの前記受け部内に取り外し可能に係合するロックナットと，を具え，前記受け部は，前記ロックレバー内を，前記ロックレバーの長手方向に直交する方向に延び，該受け部が延びる方向の第１軸線の周りに非円形の内周形状を有し，前記受け部内の前記ロックナットは，前記受け部の第１軸線と平行に延びる第２軸線を有し，該受け部の前記非円形の内周形状の少なくとも一部に対応する非円形の外周形状を有するロック装置において，前記ロックレバーが，該ロックレバーの長手方向に延び，前記受け部内にある第１位置と前記受け部外にある第２位置との間を変位可能なリテーナを具え，前記ロックレバー及び前記リテーナは，弾性材料で成形され，該リテーナは，前記弾性材料のバネ作用により前記第１位置に維持され，前記バネ作用に抗して加えられる力により前記第２位置へと変位されることを特徴とする。
【０００９】
本発明によれば、弾性を有する離脱可能なリテーナにより、ロックレバーをロックナットから容易に取り外すことができる。更に、使用者はロックレバーを常に携帯する必要がなく、電動装置に装着した状態に維持することができる。ロックレバーが電動工具に対して不所望の角度位置を占める場合、使用者は、ロックレバーを取り外して、電動工具における所定の格納部に保管し、または新たな角度位置に装着しなおすことができる。更に、離脱可能なロックレバーを複数回に亙って旋回させることにより、ロックレバーのためのスペースが狭い場合でも、ロック装置による確実なロック作用を発現させることが可能である。また、受け部における非円形の内周形状は、ロックナットの外周形状と共に形状結合を達成し、ロックレバーに作用するトルクを確実に伝達可能とする。当然のことながら、ロックナットの代わりに、別のネジ結合を用いることができる。例えば、受け部の内周形状に対応する外周形状の頭部を有する雄ネジが使用可能である。
【００１０】
ロックナットとの係合状態におけるロックレバーに対してロックナットが軸線方向に変位するのを阻止するため、リテーナは、ロックナットの凹所の内壁に形状結合させるのが有利である。この形状結合は、摩擦結合とは異なり、ロックナットとロックレバーとの確実かつ解除可能な結合を保障するものである。更に、このような構成により、ロック装置は経済的に製造することが可能となる。
【００１１】
ロックナットの凹所は、ロックナットの外周に環状溝として形成するのが好適である。この場合、ロックナット及びロックレバー間の角度位置に拘わらず、リテーナは環状溝内に確実に形状係合する。
【００１２】
本発明の好適な実施形態において、リテーナは受け部と反対側の端部領域においてロックレバーとリンク結合する。端部領域における結合は、ゴム等の弾性材料によって実現する。別の可能性として、端部領域におけるリテーナをピンなどによりロックレバーとリンク結合することができる。この実施形態においては、ばね又は弾性ラグによって弾性力を生じさせることができる。当然のことながら、特別な用途においては、別の領域内でもリテーナをロックレバーとリンク結合させることができる。
【００１３】
リテーナの弾性特性をロックレバーに対して相対的に維持するため、リテーナは一端部でロックレバーと一体的に材料結合させるのが好適である。しかしながら、硬質材料を使用可能とするために、その結合部はロックナットの受け部から可能な限り離れていなければならない。特別な用途において、硬質材料の使用が不要である場合には、リテーナとロックレバーとの材料結合部を受け部の近傍に配置することも可能である。
【００１４】
リテーナをロックレバーに対して相対的に移動させる際、摩擦を極力低減するために、リテーナを空隙によってロックレバーから部分的に分離させることができる。リテーナに軟質材料を使用する場合には、摩擦が所望されるか又は機能的に不可欠となる。この実施形態では、当然のことながら、別の材料をロックレバーとリテーナとの間に配置することも可能である。
【００１５】
ロックレバー及びリテーナはプラスチック製とするのが好適である。この場合にも、ロック装置を経済的に製造することが可能である。
【００１６】
【実施の形態】
以下、本発明を図示の好適な実施形態について更に具体的に説明する。
【００１７】
図１〜図５は本発明に係るロック装置を示すものであり、このロック装置はロックレバー１及びロックナット２を具えている。
【００１８】
ロックレバー１は、図１，図４及び図５に示すように、一端部に円筒形状の受け部３を具える。受け部３の内周形状４は非円形、好適には多角形とする。他方の端部領域は使用者が把持するグリップとして形成されている。受け部３の軸線方向延長線上には、弾性的に変位可能としたリテーナ６が延在している。
【００１９】
リテーナ６は、受け部３に対して軸線方向で、ロックレバー１内のほぼ中心に配置される。リテーナ６は、受け部３とは反対側に位置するロックレバー１の端部において、ロックレバーと一体的に材料結合されている。リテーナ６と、リテーナ６を包囲するロックレバー１との間の残りの領域では、受け部３に対して軸線方向に空隙７が延在する。ロックレバー１及びリテーナ６をプラスチック又は他の弾性材料から成形することにより、リテーナ６は弾性特性を有する。リテーナ６を受け部３の軸線方向延長線上からを離脱させるため、リテーナ６に、ロックレバー１の軸線方向延長線上から突出する押圧部８を設ける。
【００２０】
ロックナット２は、図２及び図３に示すように、受け部３の内周形状４に対応する外周形状９を有し、内ネジ１２が施されている。したがって、ロックレバー１に負荷されたトルクは、ロックナット２及びロックレバー１の形状結合によってロックすべき部材に伝達される。なお、ロックナット２には、リテーナ６を係合させることのできる環状溝１１が外周に形成されている。
【００２１】
ロックナット２を受け部３に装着した状態では、リテーナ６が環状溝１１内に係合する。その結果、リテーナ６に対するロックナット２の軸線方向運動は、環状溝１１の軸線方向幅によって限定され、その幅はリテーナ６の肉厚にほぼ一致する値とするのが好適である。ロックレバー１とロックナット２との形状結合を解除する場合、押圧部８をロックレバー１に向けて押し込み、リテーナ６を受け部３の軸線方向延長線上から旋回させる。これにより、ロックナット２をロックレバー１に対して軸線方向に相対変位させて受け部３から取り外すことが可能となる。ロックレバー１における受け部３の内周形状４を対称的又は規則的なものとすることにより、ロックナット２をロックレバー１に対して相対回動させて、新たな位置決めを行うことが可能となる。このことは、ロックすべき部材間の旋回角度が限定されている場合に特に有利である。
【図面の簡単な説明】
【図１】  本発明によるロック装置におけるロックレバーの側面図である。
【図２】  本発明によるロック装置におけるロックナットの正面図である。
【図３】  図２に示したロックナットの側面図である。
【図４】  図１に示したロックレバーの平面図である。
【図５】  図１に示したロックレバーの底面図である。
【符号の説明】
１  ロックレバー
２  ロックナット
３  受け部
４  内周形状
６  リテーナ
７  空隙
８  押圧部
９  外周形状
１１  環状溝
１２  内ネジ
【図１】
0004996020.tif 000002
【図２】
0004996020.tif 000003
【図３】
0004996020.tif 000004
【図４】
0004996020.tif 000005
【図５】
0004996020.tif 000006